【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
発生された偏波に実質的に類似している放射された偏波を有する入射波動ビームを放射するように構成されているジャイロトロンと、
前記ジャイロトロンに結合するように構成され、前記ジャイロトロンの主軸を中心に選択的に回転するように構成され、さらに選択的に回転可能な取付け部に結合するように構成されているハウジングと、
前記ハウジングに結合するように構成されている複数の反射表面とを具備し、
前記複数の反射表面は導波管中における整列を行うように構成され、
前記複数の反射表面からの第１の反射表面は実質的に放物面の反射表面を具備し、
前記複数の反射表面からの第２の反射表面は前記第１の反射表面と第３の反射表面との間に前記導波管に沿って整列されて配置され、
前記第２の反射表面はモード変換する実質的にひだのある反射表面を含んでおり、
前記複数の反射表面からの前記第３の反射表面は実質的に放物面の反射表面を具備し、
前記第１の反射表面の焦点距離と前記第３の反射表面の焦点距離の比はｓｉｎ（β）に対応し、ここでβは前記第２の反射表面の入射角度であり、
前記複数の反射表面からの前記第４の反射表面は入射波動ビームをアンテナへ選択的に誘導するために選択的に回転可能な取付け部と結合するように構成され、
前記ハウジングはさらに前記導波管と前記アンテナとの間に配置されているラドームを具備し、
前記アンテナは入射波動ビームをターゲットへ導くように構成されている能動拒否システム。
【請求項２】
電磁エネルギ放射装置用の導波管システムにおいて、
電磁波ビーム発生器に結合するように構成されているハウジングと、
前記ハウジングに結合されている複数の反射表面とを具備し、
前記発生器は前記ハウジングへ入射波動ビームを放射するように構成され、
前記ハウジングは前記発生器の主軸を中心に選択的に回転するように構成されており、
前記複数の反射表面からの少なくとも１つの反射表面は入射波動ビームのモードを変換するように構成され、
前記複数の反射表面は導波管における整列を行わせるように構成されている電磁エネルギ放射装置用の導波管システム。
【請求項３】
前記発生器はジャイロトロンを含んでいる請求項２記載のシステム。
【請求項４】
少なくとも１つの反射表面はビームの調整を行うように構成されている請求項２記載のシステム。
【請求項５】
電磁エネルギ放射装置用の導波管システムにおいて、
電磁波ビーム発生器に結合するように構成されているハウジングと、
前記ハウジングに結合されている複数の反射表面とを具備し、
前記発生器は前記ハウジング中へ入射波動ビームを放射するように構成され、
前記複数の反射表面からの少なくとも１つの反射表面は、実質的に円偏波から実質的に線形偏波へ入射波動ビームのモードを変換するように構成された実質的にひだのある反射表面を含んでおり、
前記複数の反射表面は導波管における整列を行わせるように構成されているシステム。
【請求項６】
電磁エネルギ放射装置用の導波管システムにおいて、
電磁波ビーム発生器に結合するように構成されているハウジングと、
前記ハウジングに結合され、導波管における整列を行わせるように構成されている複数の反射表面とを具備し、
前記発生器は前記ハウジング中へ入射波動ビームを放射するように構成され、
前記複数の反射表面からの第１の反射表面は実質的に放物面の反射表面を具備し、
前記複数の反射表面からの第３の反射表面は実質的に放物面の反射表面を具備し、
前記複数の反射表面からの第２の反射表面は前記第１の反射表面と前記第３の反射表面との間で導波管に沿って整列され、
前記第２の反射表面は前記入射波動ビームのモードを変換するため実質的にひだのある反射表面を含んでおり、
前記第１の反射表面の焦点距離と前記第３の反射表面の焦点距離の比はｓｉｎ（β）に対応し、ここでβは前記第２の反射表面の入射角度であるシステム。
【請求項７】
電磁エネルギ放射装置用の導波管システムにおいて、
電磁波ビーム発生器に結合するように構成されているハウジングと、
前記ハウジングに結合されている複数の反射表面とを具備し、
前記発生器は前記ハウジング中へ入射波動ビームを放射するように構成され、
前記複数の反射表面からの第１の反射表面は前記変更されない入射波動ビームのモードを変換するように構成され、
前記複数の反射表面は導波管における整列を行わせるように構成され、
前記複数の反射表面からの第２の反射表面は入射波動ビームをアンテナへ反射するように構成され、前記アンテナは入射波動ビームをターゲットへ導くように構成されているシステム。
【請求項８】
前記ハウジングはさらに導波管とアンテナとの間に配置されているラドームを具備している請求項７記載のシステム。
【請求項９】
前記ハウジングはさらに、前記第２の反射表面を結合するように構成された選択的に回転可能な取付け部へ結合するように構成され、前記選択的に回転可能な取付け部は前記第２の反射表面により反射される入射波動ビームを選択的に導くように構成されている請求項７記載のシステム。
【請求項１０】
電磁波ビーム発生器から波動ビームを誘導する方法において、
導波管により前記波動ビームを誘導し、
前記波動ビームを誘導するため前記ハウジングを前記波動ビームの主軸を中心に選択的に回転するステップを含み、
前記導波体管は、ハウジングに結合されている複数の反射表面を含み、
前記ハウジングは波動ビーム発生器に回転可能に結合され、
前記複数の反射表面からの少なくとも１つの反射表面は波動ビームのモードを変換するように構成されている方法。
【請求項１１】
前記発生器はジャイロトロンを含んでいる請求項１０記載の方法。
【請求項１２】
少なくとも１つの反射表面はビームの調整を行うように構成されている請求項１０記載の方法。
【請求項１３】
電磁波ビーム発生器から波動ビームを誘導する方法において、
導波管により前記波動ビームを誘導するステップを含み、
前記導波体管は、ハウジングに結合されている複数の反射表面を含み、
前記ハウジングは波動ビーム発生器に結合され、
前記複数の反射表面からの第１の反射表面は実質的に放物面の反射表面を具備し、
前記複数の反射表面からの第３の反射表面は実質的に放物面の反射表面を具備し、
前記複数の反射表面からの第２の反射表面は前記第１の反射表面と前記第３の反射表面との間で導波管に沿って整列され、
前記第２の反射表面はモード変換するために実質的にひだのある反射表面を含んでおり、
前記第１の反射表面の焦点距離と前記第３の反射表面の焦点距離の比はｓｉｎ（β）に対応し、ここでβは前記第２の反射表面の入射角度である方法。
【請求項１４】
電磁波ビーム発生器から波動ビームを誘導する方法において、
導波管により前記波動ビームを誘導するステップを含み、
前記導波体管は、ハウジングに結合されている複数の反射表面を含み、
前記ハウジングは波動ビーム発生器に結合され、
前記複数の反射表面からの少なくとも１つの反射表面は実質的にひだのある反射表面を含み、前記実質的にひだのある反射表面は実質的に円偏波から実質的に線形偏波へ入射波動ビームのモードを変換するように構成されている方法。
【請求項１５】
電磁波ビーム発生器から波動ビームを誘導する方法において、
導波管により前記波動ビームを誘導するステップを含み、
前記導波体管は、ハウジングに結合されている複数の反射表面を含み、
前記ハウジングは波動ビーム発生器に結合され、
前記複数の反射表面からの第１の反射表面は入射波動ビームのモードを変換するように構成され、
前記複数の反射表面からの第２の反射表面は入射波動ビームをアンテナへ反射するように構成され、前記アンテナは入射波動ビームをターゲットへ導くように構成されている方法。
【請求項１６】
前記ハウジングはさらに、前記第２の反射表面を結合するように構成された選択的に回転可能な取付け部へ結合するように構成され、前記選択的に回転可能な取付け部は前記第２の反射表面により反射されるとき前記入射波動ビームを選択的に誘導するように構成されている請求項１５記載の方法。
【請求項１７】
前記ハウジングはさらに導波管とアンテナとの間に配置されているラドームを具備している請求項１５記載の方法。